(57)【要約】【課題】目視情報表示用ピットを有する光記録媒体において、目視情報表示用ピットにより描かれる図形や文字等の濃淡を濃くして、目視可能な情報を見易く表示できる。【解決手段】光ディスク１は、基板層の片側に第１の記録層３と第２の記録層５が重ねられている。第１の記録層３には、符号データ用ピットＰ−３ａ、Ｐ−３ｂと、これらより広い幅の目視情報表示用ピットＰ−３ｃ、Ｐ−３ｄが形成され、第２の記録層５には、符号データ用ピットＰ−５ａ、Ｐ−５ｂと、これらより広い幅の目視情報表示用ピットＰ−５ｃ、Ｐ−５ｄが形成されている。第１の記録層３の目視情報表示用ピットＰ−３ｃ、Ｐ−３ｄと第２の記録層５の目視情報表示用ピットＰ−５ｃ、Ｐ−５ｄは、第１の記録層３と第２の記録層５の対応する領域内に形成されており、目視情報表示用ピットＰ−３ｃ、Ｐ−３ｄ、Ｐ−５ｃ、Ｐ−５ｄにより描かれる図形や文字等の濃淡が濃くなる。【選択図】図２
2006085788.tif 000002
【特許請求の範囲】
【請求項１】
基板層と、前記基板層上に設けられ、周囲と異なる光の反射を起こすピットが形成される記録層と、情報を符号化した符号データに対応する配列で前記記録層に形成された符号データ用ピットと、情報を目視可能に表示するために他のピットよりも広い幅で前記記録層に形成された目視情報表示用ピットとを有する光記録媒体において、
前記記録層は、前記基板層の片側に複数層重ねて設けられており、
前記符号データ用ピットは、前記各記録層において異なる符号データに対応する配列で形成されており、
前記目視情報表示用ピットは、前記各記録層の対応する領域内に形成されており、前記各記録層において前記符号データ用ピットを兼ねていることを特徴とする光記録媒体。
【請求項２】
基板層と、前記基板層上に設けられ、周囲と異なる光の反射を起こすピットが形成される記録層と、情報を符号化した符号データに対応する配列で前記記録層に形成された符号データ用ピットと、情報を目視可能に表示するために他のピットよりも広い幅で前記記録層に形成された目視情報表示用ピットとを有する光記録媒体において、
前記記録層は、前記基板層の片側に複数層重ねて設けられており、
前記目視情報表示用ピットは、前記各記録層の対応する領域内に形成されていることを特徴とする光記録媒体。
【請求項３】
前記目視情報表示用ピットは、前記符号データ用ピットを兼ねている請求項２に記載の光記録媒体。
【請求項４】
同心円状又は渦巻状に記録トラックが形成された記録層を有する光ディスクを回転させる光ディスク駆動手段と、
前記光ディスクの記録トラックに光を照射することにより該記録トラックに周囲と異なる光の反射を起こすピットを形成する光ヘッドと、
前記光ヘッドを前記光ディスク上で移動させる光ヘッド移動手段と、
前記光ヘッド移動手段による前記光ヘッドの移動、前記光ディスク駆動手段による前記光ディスクの回転、及び前記ヘッドによる光の照射を制御することにより、前記光ディスクにピットを形成して情報を記録する制御手段とを備え、
前記制御手段は、情報を符号化した符号データに対応する配列で符号データ用ピットを形成することにより、符号データを記録する符号データ記録手段と、他のピットよりも幅の広い目視情報表示用ピットを所定のパターンで多数密集させて形成することにより、目視可能な情報を記録する目視情報記録手段とを有する光ディスク処理装置において、
前記光ディスクは、前記記録層が基板層の片側に複数層重ねられた多層ディスクであり、
前記制御手段は、前記情報を目視可能に記録するために前記目視情報表示用ピットを形成すべき前記光ディスク上の位置座標を算出する座標算出手段をさらに備え、
前記符号データ記録手段は、前記光ディスクの各記録層に、異なる符号データに対応する配列で前記符号データ用ピットを形成することにより、符号データを記録し、
前記目視情報記録手段は、前記座標算出手段により算出した座標を基に前記目視情報表示用ピットを前記各記録層の対応する領域に同じパターンで形成することにより目視可能な情報を記録し、前記符号データ記録手段により形成される符号データ用ピットと重複する箇所においては、前記符号データ用ピットを兼ねた目視情報表示用ピットを形成し、目視情報表示用ピットの形成は、前記光ヘッドの光の集光スポット径を大きくすると共に光の照射強度を強くすることにより行うことを特徴とする光ディスク処理装置。
【請求項５】
同心円状又は渦巻状に記録トラックが形成された記録層を有する光ディスクを回転させる光ディスク駆動手段と、
前記光ディスクの記録トラックに光を照射することにより該記録トラックに周囲と異なる光の反射を起こすピットを形成する光ヘッドと、
前記光ヘッドを前記光ディスク上で移動させる光ヘッド移動手段と、
前記光ヘッド移動手段による前記光ヘッドの移動、前記光ディスク駆動手段による前記光ディスクの回転、及び前記ヘッドによる光の照射を制御することにより、前記光ディスクにピットを形成して情報を記録する制御手段とを備え、
前記制御手段は、他のピットよりも幅の広い目視情報表示用ピットを所定のパターンで多数密集させて形成することにより、目視可能な情報を記録する目視情報記録手段とを有する光ディスク処理装置において、
前記光ディスクは、前記記録層が基板層の片側に複数層重ねられた多層ディスクであり、
前記目視情報記録手段は、前記目視情報表示用ピットを前記各記録層の対応する領域に同じパターンで形成することにより目視可能な情報を記録することを特徴とする光ディスク処理装置。
【発明の詳細な説明】
【技術分野】
【０００１】
本発明は、周囲と異なる光の反射を起こすピットにより情報が記録された光ディスク等の光記録媒体、及び光ディスクにピットを形成することにより情報を記録する光ディスク処理装置に関するものである。
【背景技術】
【０００２】
従来より、光ディスクにおいて、ピットの幅を広くすると光の反射強度が弱くなることを利用し、他のピットよりも幅の広いピットを所定のパターンで多数密集させて形成することにより、光ディスク面上に図形や文字等の濃淡を作り出し、それら図形や文字等からなる情報を肉眼で目視可能に表示するようにしたものが知られている（例えば特許文献１参照）。この特許文献１に記載の光ディスクは、記録層を１層だけ有する１層ディスクであり、情報を目視可能に表示するための目視情報表示用ピットの幅を情報を符号データとして記録するための符号データ用ピットの幅よりも広くするものであるが、目視情報表示用ピットの長さを符号データ用ピットの長さと同じにすることにより、目視情報表示用ピットが符号データ用ピットが兼ねたものとなっている。
【０００３】
また、同じ長さのピットを一定周期で繰り返して形成すると光学的干渉を生じることを利用し、所定のパターン領域内に同じ長さのピットを一定周期で形成することにより、光ディスク面上に図形や文字等からなる情報を目視可能に表示するようにした光ディスクや（例えば、特許文献２参照）、ピットの幅を変えることにより光学的干渉を生じさせて、光ディスク面上に図形や文字等からなる情報を目視可能に表示するようにした光ディスクも知られている（例えば、特許文献３参照）。特許文献２に記載の光ディスクは、記録層を１層だけ有する１層ディスクであり、目視情報表示用ピットは、符号データ用ピットが形成されていない外周側の空き領域に形成されている。また、特許文献３に記載の光ディスクは、特許文献２に記載の光ディスクと同様に記録層を１層だけ有する１層ディスクであるが、目視情報表示用ピットが符号データ用ピットを兼ねたものとなっている。
【特許文献１】特開平１１−２１３４５５号公報
【特許文献２】特開２００４−１７１６０５号公報
【特許文献３】特開２００３−３２３７４６号公報
【発明の開示】
【発明が解決しようとする課題】
【０００４】
ところが、上述した従来の録画装置においては、ピットの幅を広くするには限りがあり、目視情報表示用ピットにより光ディスク面上に描かれる濃淡が薄く、目視情報表示用ピットにより光ディスク面上に表示される目視可能な情報が見難いものであった。なお、上述した特許文献２及び特許文献３に開示の内容を適用したとしても、上記の課題を解決することはできない。
【０００５】
本発明は、上記課題を解決するためになされたものであり、目視情報表示用ピットにより描かれる図形や文字等の濃淡を濃くして、目視可能な情報を見易く表示できる光記録媒体、及び光ディスク処理装置を提供することを目的とする。
【課題を解決するための手段】
【０００６】
上記目的を達成するために請求項１の発明は、基板層と、基板層上に設けられ、周囲と異なる光の反射を起こすピットが形成される記録層と、情報を符号化した符号データに対応する配列で記録層に形成された符号データ用ピットと、情報を目視可能に表示するために他のピットよりも広い幅で記録層に形成された目視情報表示用ピットとを有する光記録媒体において、記録層は、基板層の片側に複数層重ねて設けられており、符号データ用ピットは、各記録層において異なる符号データに対応する配列で形成されており、目視情報表示用ピットは、各記録層の対応する領域内に形成されており、各記録層において符号データ用ピットを兼ねていることを特徴とするものである。
【０００７】
請求項２の発明は、基板層と、基板層上に設けられ、周囲と異なる光の反射を起こすピットが形成される記録層と、情報を符号化した符号データに対応する配列で記録層に形成された符号データ用ピットと、情報を目視可能に表示するために他のピットよりも広い幅で記録層に形成された目視情報表示用ピットとを有する光記録媒体において、記録層は、基板層の片側に複数層重ねて設けられており、目視情報表示用ピットは、各記録層の対応する領域内に形成されているものである。
【０００８】
請求項３の発明は、請求項２に記載の光記録媒体において、目視情報表示用ピットは、符号データ用ピットを兼ねているものである。
【０００９】
請求項４の発明は、同心円状又は渦巻状に記録トラックが形成された記録層を有する光ディスクを回転させる光ディスク駆動手段と、光ディスクの記録トラックに光を照射することにより該記録トラックに周囲と異なる光の反射を起こすピットを形成する光ヘッドと、光ヘッドを光ディスク上で移動させる光ヘッド移動手段と、光ヘッド移動手段による光ヘッドの移動、光ディスク駆動手段による光ディスクの回転、及びヘッドによる光の照射を制御することにより、光ディスクにピットを形成して情報を記録する制御手段とを備え、制御手段は、情報を符号化した符号データに対応する配列で符号データ用ピットを形成することにより、符号データを記録する符号データ記録手段と、他のピットよりも幅の広い目視情報表示用ピットを所定のパターンで多数密集させて形成することにより、目視可能な情報を記録する目視情報記録手段とを有する光ディスク処理装置において、光ディスクは、記録層が基板層の片側に複数層重ねられた多層ディスクであり、制御手段は、情報を目視可能に記録するために目視情報表示用ピットを形成すべき光ディスク上の位置座標を算出する座標算出手段をさらに備え、符号データ記録手段は、光ディスクの各記録層に、異なる符号データに対応する配列で符号データ用ピットを形成することにより、符号データを記録し、目視情報記録手段は、座標算出手段により算出した座標を基に目視情報表示用ピットを各記録層の対応する領域内に形成することにより目視可能な情報を記録し、符号データ記録手段により形成される符号データ用ピットと重複する箇所においては、符号データ用ピットを兼ねた目視情報表示用ピットを形成し、目視情報表示用ピットの形成は、光ヘッドの光の集光スポット径を大きくすると共に光の照射強度を強くすることにより行うものである。
【００１０】
請求項５の発明は、同心円状又は渦巻状に記録トラックが形成された記録層を有する光ディスクを回転させる光ディスク駆動手段と、光ディスクの記録トラックに光を照射することにより該記録トラックに周囲と異なる光の反射を起こすピットを形成する光ヘッドと、光ヘッドを光ディスク上で移動させる光ヘッド移動手段と、光ヘッド移動手段による光ヘッドの移動、光ディスク駆動手段による光ディスクの回転、及びヘッドによる光の照射を制御することにより、光ディスクにピットを形成して情報を記録する制御手段とを備え、制御手段は、他のピットよりも幅の広い目視情報表示用ピットを所定のパターンで多数密集させて形成することにより、目視可能な情報を記録する目視情報記録手段とを有する光ディスク処理装置において、光ディスクは、記録層が基板層の片側に複数層重ねられた多層ディスクであり、目視情報記録手段は、目視情報表示用ピットを各記録層の対応する領域内に形成することにより目視可能な情報を記録するものである。
【発明の効果】
【００１１】
請求項１の発明によれば、目視情報表示用ピットが各記録層の対応する領域内に形成されているため、従来の１層の記録層だけに目視情報表示用ピットが形成された構成と比較して、より濃い濃淡を作り出すことができ、目視可能な情報をより見易く表示することができる。これにより、目視可能な情報を見間違えることがなく、光記録媒体固有の情報を目視可能な情報として表示させることにより、個々の光記録媒体を素早く的確に識別することが可能となり、また、符号データとして光記録媒体に記録されている内容を目視可能な情報として表示させることにより、光記録媒体の情報記録内容を素早く的確に判断することが可能となる。
【００１２】
しかも、目視情報表示用ピットは符号データ用ピットを兼ねており、目視可能な情報は符号データによる情報に重畳されて記録されているため、符号データによる情報の記録密度を低下させることなく、目視可能な情報を表示することができる。また、光ディスクの各記録層に異なる符号データによる情報が記録されているため、符号データによる情報の記録密度を低下させることなく、目視可能な情報を記録することができる。
【００１３】
請求項２の発明によれば、目視情報表示用ピットが各記録層の対応する領域内に形成されているため、従来の１層の記録層だけに目視情報表示用ピットが形成された構成と比較して、より濃い濃淡を作り出すことができ、目視可能な情報をより見易く表示することができる。これにより、目視可能な情報を見間違えることがなく、光記録媒体固有の情報を目視可能な情報として表示させることにより、個々の光記録媒体を素早く的確に識別することが可能となり、また、符号データとして光記録媒体に記録されている内容を目視可能な情報として表示させることにより、光記録媒体の情報記録内容を素早く的確に判断することが可能となる。
【００１４】
請求項３の発明によれば、目視情報表示用ピットは符号データ用ピットを兼ねており、目視可能な情報は符号データによる情報に重畳されて記録されているため、符号データによる情報の記録密度を低下させることなく、目視可能な情報を表示することができる。
【００１５】
請求項４の発明によれば、目視情報表示用ピットが光ディスクの各記録層の対応する領域内に形成されるため、光ディスクに記録された目視可能な情報は、従来の１層の記録層だけに目視情報表示用ピットが形成された構成と比較して、より濃い濃淡によって、より見易く表示される。これにより、目視可能な情報を見間違えることがなく、光ディスク固有の情報を目視可能な情報として記録することにより、個々の光ディスクを素早く的確に識別することが可能となり、また、符号データとして光ディスクに記録されている内容を目視可能な情報として記録することにより、光ディスクの情報記録内容を素早く的確に判断することが可能となる。しかも、目視情報表示用ピットの位置が符号データ用ピットの位置と重複する箇所では、符号データ用ピットを兼ねた目視情報表示用ピットが形成され、目視可能な情報は符号データによる情報に重畳されて記録されるため、符号データによる情報の記録密度を低下させることなく、目視可能な情報を記録することができる。
【００１６】
しかも、目視情報表示用ピットは符号データ用ピットを兼ねており、目視可能な情報は符号データによる情報に重畳されて記録されるため、符号データによる情報の記録密度を低下させることなく、目視可能な情報を記録することができる。また、光ディスクの各記録層に異なる符号データによる情報が記録されるため、符号データによる情報の記録密度を低下させることなく、目視可能な情報を記録することができる。
【００１７】
請求項５の発明によれば、目視情報表示用ピットが光ディスクの各記録層の対応する領域内に形成されるため、光ディスクに記録された目視可能な情報は、従来の１層の記録層だけに目視情報表示用ピットが形成された構成と比較して、より濃い濃淡によって、より見易く表示される。これにより、目視可能な情報を見間違えることがなく、光ディスク固有の情報を目視可能な情報として記録することにより、個々の光ディスクを素早く的確に識別することが可能となり、また、符号データとして光ディスクに記録されている内容を目視可能な情報として記録することにより、光ディスクの情報記録内容を素早く的確に判断することが可能となる。
【発明を実施するための最良の形態】
【００１８】
以下、本発明を具体化した実施形態による光記録媒体及び光ディスク処理装置について図面を参照して説明する。図１（ａ）（ｂ）（ｃ）は、光記録媒体である光ディスク１の概略構成を示す。光ディスク１は、情報記録面１ａに周囲と異なる光の反射を起こすピットＰにより、例えば映像や音楽等の情報が符号化されて記録されている。また、この光ディスク１は、ピットＰによる反射強度の変化を利用して、濃淡による図形や文字等の肉眼で目視可能な情報（図１（ａ）に示す例では、「ＮＡＴＵＮＯＯＭＯＩＤＥ」）が記録されている。
【００１９】
光ディスク１は、基板層２と、第１の記録層３と、スペーサ層４と、第２の記録層５と、保護層６とを備えており、第１の記録層３と第２の記録層５が基板層２の片側に重ねて設けられた２層型ディスクである。
【００２０】
基板層２は、透明であり、第１の記録層３は、基板層２上に設けられている。第１の記録層３は、透明であり、所定ピッチで同心円状又は渦巻状に形成された記録トラック３ａを有しており、記録トラック３ａ上に周囲と異なる光の反射を起こすピットＰが形成されている。スペーサ層４は、透明であり、第２の記録層５は、スペーサ層４を介して第１の記録層３上に設けられている。第２の記録層５は、第１の記録層３と同様に、所定ピッチで同心円状又は渦巻状に形成された記録トラック５ａを有しており、記録トラック５ａ上にピットＰが形成されている。保護層６は、第２の記録層５上に設けられている。
【００２１】
基板層２の表面は情報記録面１ａであり、後述する光ディスク処理装置にて、情報記録面１ａに（基板層２側から）光を照射することによりピットＰの長さや配列が検出されて符号データが読取られ、映像や音楽等の情報が再生される。記録トラック３ａのピッチと記録トラック５ａのピッチは同じであり、記録トラック３ａと記録トラック５ａは、情報記録面１ａに垂直な方向に重なっている。保護層６の表面は、レーベル面１ｂであり、レーベル面１ｂには、光ディスク１の記録内容等を示す情報が印刷等により記載されている。ピットＰによる反射強度の変化を利用した目視可能な情報は、情報記録面１ａに（基板層２側に）表示されている。
【００２２】
上記映像や音楽等の情報は、ピットＰを映像や音楽等の情報を符号化した符号データに対応する長さ及び配列で形成することにより記録されている。また、ピットＰによる反射強度の変化を利用した目視可能な情報は、ピットＰの幅を広くすると光の反射強度が弱くなることを利用して、ピットＰの幅を広くしたものを所定の表示パターン領域内に多数密集させて形成することにより記録されている。
【００２３】
図２は、上記光ディスク１のピットＰの形成例を示す。上記第１の記録層３の記録トラック３ａには、ピットＰ−３ａ、Ｐ−３ｂ、Ｐ−３ｃ、Ｐ−３ｄが形成されており、上記第２の記録層５の記録トラック５ａには、ピットＰ−５ａ、Ｐ−５ｂ、Ｐ−５ｃ、Ｐ−５ｄが形成されている。
【００２４】
ピットＰ−３ａ、Ｐ−３ｂ、Ｐ−５ａ、Ｐ−５ｂは、映像や音楽等の情報を記録するための符号データ用ピットであり、情報を符号化した符号データに対応する長さ及び配列で形成されている。ピットＰ−３ｃ、Ｐ−３ｄ、Ｐ−５ｃ、Ｐ−５ｄは、目視可能な情報を記録するための目視情報表示用ピットであり、ピットＰ−３ａ、Ｐ−３ｂ、Ｐ−５ａ、Ｐ−５ｂよりも広い幅で形成されている。
【００２５】
目視情報表示用ピットＰ−３ｃ、Ｐ−３ｄは、第１の記録層３上の所定の表示パターン領域内に多数密集して形成されており、目視情報表示用ピットＰ−５ｃ、Ｐ−５ｄは、第１の記録層３上の表示パターン領域に対応する第２の記録層５上の同じ領域内に多数密集して形成されている。
【００２６】
幅の広い目視情報表示用ピットＰ−３ｃ、Ｐ−３ｄ、Ｐ−５ｃ、Ｐ−５ｄを所定の表示パターン領域内に多数密集して形成することにより、その表示パターン領域での光の反射強度が弱められ、光ディスク１の情報記録面１ａにその表示パターンに対応する濃淡が生じ、表示パターンに対応する図形や文字等（図１（ａ）に示す例では、「ＮＡＴＵＮＯＯＭＯＩＤＥ」）が目視可能な情報として光ディスク１の情報記録面１ａに表示される。目視情報表示用ピットによる目視可能な情報としては、例えば、光ディスク１固有の情報や、符号データとして光ディスク１に記録されている内容を示す情報が記録される。
【００２７】
また、目視情報表示用ピットＰ−３ｃ、Ｐ−３ｄ、Ｐ−５ｃ、Ｐ−５ｄは、符号データ用ピットを兼ねており、符号データ用ピットＰ−３ａ、Ｐ−３ｂ、Ｐ−５ａ、Ｐ−５ｂと同様に、情報を符号化した符号データに対応する長さ及び配列で形成されている。すなわち、光ディスク１には、符号データによる情報と目視可能な情報が重畳されて記録されている。また、第１の記録層３の符号データ用ピットＰ−３ａ、Ｐ−３ｂ及び目視情報表示用ピットＰ−３ｃ、Ｐ−３ｄと、第２の記録層５の符号データ用ピットＰ−５ａ、Ｐ−５ｂ及び目視情報表示用ピットＰ−５ｃ、Ｐ−５ｄは、異なる符号データに対応する配列で形成されている。すなわち、第１の記録層３と第２の記録層５には、符号データによる異なる情報が記録されている。
【００２８】
符号データ用ピットＰ−３ａ、Ｐ−３ｂ、Ｐ−５ａ、Ｐ−５ｂ及び目視情報表示用ピットＰ−３ｃ、Ｐ−３ｄ、Ｐ−５ｃ、Ｐ−５ｄは、例えば、第１の記録層３及び第２の記録層５が書込み可能な記録層である光ディスクに光を照射し、その集光スポット径と光の照射強度を調整することにより形成される。すなわち、符号データ用ピットＰ−３ａ、Ｐ−３ｂ、Ｐ−５ａ、Ｐ−５ｂを形成するときは、集光スポット径と光の照射強度を通常の状態にし、目視情報表示用ピットＰ−３ｃ、Ｐ−３ｄ、Ｐ−５ｃ、Ｐ−５ｄを形成するときは、集光スポット径を大きくすると共に光の照射強度を強くすればよい。
【００２９】
また、符号データ用ピットＰ−３ａ、Ｐ−３ｂ、Ｐ−５ａ、Ｐ−５ｂ及び目視情報表示用ピットＰ−３ｃ、Ｐ−３ｄ、Ｐ−５ｃ、Ｐ−５ｄは、基板層２上に第１の記録層３、スペーサ層４、第２の記録層５及び保護層６を積層して光ディスク１を作製する際に、それらのピットに対応する凹凸が形成された金型を第１の記録層３及び第２の記録層５にプレスすることによって形成することも可能である。
【００３０】
このような構成の光ディスク１によれば、目視情報表示用ピットＰ−３ｃ、Ｐ−３ｄ、Ｐ−５ｃ、Ｐ−５ｄが第１の記録層３及び第２の記録層５の対応する領域内に形成されているため、第１の記録層３の目視情報表示用ピットＰ−３ｃ、Ｐ−３ｄと第２の記録層５の目視情報表示用ピットＰ−５ｃ、Ｐ−５ｄが重なることにより濃淡が濃くなり、又は、目視情報表示用ピットＰ−３ｃ、Ｐ−３ｄ、Ｐ−５ｃ、Ｐ−５ｄ全体の面積が広がることにより濃淡が濃くなる。
【００３１】
従って、従来の１層の記録層だけに目視情報表示用ピットが形成された構成と比較して、より濃い濃淡を作り出すことができ、目視可能な情報をより見易く表示することができる。これにより、目視可能な情報を見間違えることがなく、光ディスク１固有の情報を目視可能な情報として表示させることにより、個々の光ディスク１を素早く的確に識別することが可能となり、また、符号データとして光ディスク１に記録されている内容を目視可能な情報として表示させることにより、光ディスク１の情報記録内容を素早く的確に判断することが可能となる。
【００３２】
しかも、目視情報表示用ピットピットＰ−３ｃ、Ｐ−３ｄ、Ｐ−５ｃ、Ｐ−５ｄは、符号データ用ピットを兼ねており、目視可能な情報は符号データによる情報に重畳されて記録されているため、符号データによる情報の記録密度を低下させることなく、目視可能な情報を表示することができる。また、第１の記録層３の符号データ用ピットＰ−３ａ、Ｐ−３ｂ及び目視情報表示用ピットＰ−３ｃ、Ｐ−３ｄと、第２の記録層５の符号データ用ピットＰ−５ａ、Ｐ−５ｂ及び目視情報表示用ピットＰ−５ｃ、Ｐ−５ｄは、異なる符号データに対応する配列で形成されているため、符号データによる情報の記録密度を低下させることなく、目視可能な情報を表示することができる。
【００３３】
図３は、光ディスク１の別の構成を示す。図３に示す光ディスク１は、記録トラック３ａのピッチと記録トラック５ａのピッチは同じであるが、記録トラック３ａと記録トラック５ａは、相互に１／２ピッチずらして形成されている。このような構成の光ディスク１によっても、記録トラック３ａの目視情報表示用ピットＰ−３ｃ、Ｐ−３ｄと記録トラック５ａの目視情報表示用ピットＰ−５ｃ、Ｐ−５ｄが一部重なることにより濃淡が濃くなり、又は、目視情報表示用ピットＰ−３ｃ、Ｐ−３ｄ、Ｐ−５ｃ、Ｐ−５ｄ全体の面積が広がることにより濃淡が濃くなる。従って、このような構成の光ディスク１によっても、従来の１層の記録層だけに目視情報表示用ピットが形成された構成と比較して、より濃い濃淡を作り出すことができ、目視可能な情報をより見易く表示することができる。
【００３４】
図４は、光ディスク処理装置の構成を示す。光ディスク処理装置１０は、光ディスク１に周囲と異なる光の反射を起こすピットＰを形成することにより、例えば映像や音楽等の情報を符号化して光ディスク１に記録し、また、光ディスク１に形成されているピットＰを検出することにより、光ディスク１に記録されている情報を再生する装置である。この光ディスク処理装置１０は、ユーザの操作により、上述のピットＰによる反射強度の変化を利用した肉眼で目視可能な情報（図１に示す例では、「ＮＡＴＵＮＯＯＭＯＩＤＥ」）を記録できるようになっている。
【００３５】
光ディスク処理装置１０は、光ディスク処理装置１０を制御するためのＣＰＵ等からなる制御部１１と、ディスク挿入検知部１２と、スピンドルモータ１３と、移動モータ１４と、光ヘッド１５と、レーザ駆動部１６と、ＲＦ信号処理部１７と、サーボ制御部１８とを備える。また、光ディスク処理装置１０は、放送信号受信部１９と、受信信号処理部２０と、入力信号処理部２１と、符号化処理部２２と、復号処理部２３と、バッファメモリ２４と、ＯＳＤ処理部２５と、映像・音声信号出力部２６と、目視情報パターン生成部２７と、リモコン２８を、リモコン受信部２９と、表示部３０と、ＲＯＭ３１とを備える。
【００３６】
ディスク挿入検知部１２は、光ディスク１がディスク挿入部（不図示）から挿入されたことを検出し、その信号を制御部１１へ入力する。ディスク挿入部に挿入された光ディスク１は、スピンドルモータ１３に装着される。スピンドルモータ１３は、制御部１１による制御のもと回転駆動され、装着された光ディスク１を回転させる。移動モータ１４は、リニアモータから成り、光ヘッド１５を光ディスク１上でその半径方向に移動させる。
【００３７】
光ヘッド１５は、符号データによる情報及び目視可能な情報を光ディスク１に記録するために、光ディスク１に光を照射して、光ディスク１に周囲と異なる光の反射を起こすピットＰを形成し、また、光ディスク１に記録されている符号データによる情報を読取るために、光ディスク１に光を照射して、光ディスク１に形成されているピットＰを検出するものである。光ヘッド１５は、半導体レーザ５１、コリメートレンズ５２、ビームスプリッタ５３、対物レンズ５４、集光レンズ５５、及び受光素子５６を備えている。
【００３８】
半導体レーザ５１は、レーザ駆動部１６により駆動されて光を出射する。半導体レーザ５１から出射された光は、コリメートレンズ５２、ビームスプリッタ５３、及び対物レンズ５４を介して光ディスク１上に集光照射される。また、光ディスク１で反射された光は、対物レンズ５４、ビームスプリッタ５３、集光レンズ５５を介して、受光素子５６上に集光される。対物レンズ５４は、レンズホルダ５７に保持されており、サーボ制御部１８による制御のもと、フォーカシングコイル５８及びトラッキングコイル５９の磁気作用により、光ディスク１面と垂直な方向及び光ディスク１の半径方向に移動される。この対物レンズ５４の移動により、半導体レーザ５１から出射されて光ディスク１上に集光照射される光の集光点の位置及び集光スポット径が調整される。受光素子５６は、受光面が複数の領域に分割されており、受光面毎に受光強度に応じた電気信号を出力する。
【００３９】
上記光ヘッド１５は、半導体レーザ５１から出射される光を光ディスク１の情報記録面１ａに照射して、光ディスク１の第１の記録層３又は第２の記録層５を変質させることにより、光ディスク１にピットを形成する。また、光ヘッド１５は、半導体レーザ５１から出射される光を光ディスク１の情報記録面１ａに照射して、受光素子５６が光ディスク１からの反射光を受光することにより、光ディスク１に形成されているピットＰを検出する。ピットＰを検出する際には、光ディスク１の第１の記録層３及び第２の記録層５が変質しないように、半導体レーザ５１から出射する光の強度が弱められる。
【００４０】
レーザ駆動部１６は、制御部１１による制御のもと、半導体レーザ５１の発光タイミングや発光強度を制御する。ＲＦ信号処理部１７は、受光素子５６からの出力信号に基づいて、ＲＦ信号（反射強度信号）及びフォーカシングエラー信号及びトラッキングエラー信号を生成し出力する。サーボ制御部１８は、ＲＦ信号処理部１７からのフォーカシングエラー信号及びトラッキングエラー信号に基づいて、フォーカシングコイル５８及びトラッキングコイル５９を駆動し、これにより、対物レンズ５４を移動させて、光ディスク１上に照射される半導体レーザ５１からの光の集光点の位置を制御する。
【００４１】
放送信号受信部１９は、制御部１１による制御のもと、受信周波数が放送局から配信されるテレビ放送信号の周波数に同調されることにより、アンテナ１９ａを介してテレビ放送信号を受信する。受信信号処理部２０は、制御部１１による制御のもと、放送信号受信部１９で受信したテレビ放送信号を復調処理して映像・音声信号を生成する。入力信号処理部２１は、制御部１１による制御のもと、信号入力端子２１ａを介してビデオカメラやデジタルカメラ等の外部機器から入力される信号を処理して映像・音声信号を生成する。
【００４２】
符号化処理部２２は、制御部１１による制御のもと、受信信号処理部２０及び入力信号処理部２１にて生成された映像・音声信号を基に、それら映像・音声信号を所定の形式に符号化した符号データを生成する。バッファメモリ２４は、光ディスク１に記録するための符号データ、及び光ディスク１から読取った符号データを一時的に保存する。
【００４３】
光ディスク１への符号データの記録は、制御部１１による制御のもと、光ヘッド１５により、ピットＰとして、長さ及び配列により符号データを表す符号データ用ピットを光ディスク１に形成することにより行われる。また、光ディスク１からの符号データの読取りは、光ヘッド１５により光ディスク１に記録されているピットＰを検出し、それによりＲＦ信号処理部１７から出力されるＲＦ信号を基に、制御部１１にてピットＰの長さや配列が判別されることにより行われる。
【００４４】
復号処理部２３は、制御部１１による制御のもと、光ディスク１から読取った符号データを復号処理して映像・音声信号を生成する。ＯＳＤ処理部２５は、制御部１１による制御のもと、映像信号に各種オンスクリーン表示信号を重畳する。映像・音声信号出力部２６は、制御部１１による制御のもと、信号出力端子２６ａを介してディスプレイやスピーカ等に映像・音声信号を出力する。
【００４５】
目視情報パターン生成部２７は、光ディスク１に記録する目視可能な情報の表示パターンを生成する。目視可能な情報は、ピットＰとして、他のピットよりも幅の広い目視情報表示用ピットを光ディスク１上の所定の表示パターン領域内に多数密集させて形成することにより記録される。目視情報パターン生成部２７は、制御部１１から入力される目視情報作成用データを基に、その表示パターンを生成する。制御部１１では、目視情報パターン生成部２７にて生成された表示パターン及び光ディスク１のアドレスデータを基に、目視情報表示用ピットを形成すべき光ディスク１上の位置座標が算出される。
【００４６】
リモコン２８は、テレビ放送信号の受信チャンネルの選択、映像、音声等の符号データによる情報の記録／再生、目視可能な情報の記録等、光ディスク処理装置１０の各種動作を指示するためにユーザにより操作されるものであり、各種動作を指示するためにユーザに操作される各種操作キー（何れも不図示）を備えている。リモコン２８は、各種操作キーが操作されることにより、その操作に対応付けられた赤外線コード信号を送出する。
【００４７】
リモコン受信部２９は、リモコン２８から送出される赤外線信号を受信して電気信号に変換し、リモコン２８の操作に対応する信号を制御部１１へ出力する。表示部３０は、光ディスク処理装置１０本体のフロントパネルに設けられ、リモコン２８により操作された内容や光ディスク処理装置１０の動作状況等を表示する。ＲＯＭ３１は、制御部１１の動作プログラムを格納している。
【００４８】
制御部１１は、リモコン受信部２９からの出力信号を基にリモコン２８の操作内容を判断し、テレビ放送信号の受信動作、テレビ放送信号により配信されるテレビ番組の光ディスク１への録画・録音動作、ビデオカメラやデジタルカメラ等から入力される映像・音声の光ディスク１への録画・録音動作、光ディスク１に録画・録音されている映像・音声の再生動作、光ディスク１への目視可能な情報の記録動作、等を制御する。
【００４９】
テレビ番組の光ディスク１への録画・録音は、制御部１１による制御のもと、放送信号受信部１９で受信したテレビ放送信号を基に受信信号処理部２０にて映像・音声信号を生成し、その映像・音声信号を符号化処理部２２にて符号化し、その符号データを光ディスク１に記録することにより行われる。また、ビデオカメラやデジタルカメラ等から入力される映像・音声の光ディスク１への録画・録音は、制御部１１による制御のもと、信号入力端子２１ａから入力された信号を基に入力信号処理部２１にて映像・音声信号を生成し、その映像・音声信号を符号化処理部２２にて符号化し、その符号データを光ディスク１に記録することにより行われる。
【００５０】
符号データの記録は、ピットＰとして、長さ及び配列により符号データを表す符号データ用ピットを光ディスク１に形成することにより行われる。符号データ用ピットは、光ディスク１の記録領域の空き状況に応じて、第１の記録層３の記録トラック３ａ又は第２の記録層５の記録トラック５ａの内周側から順次形成されてゆき、第１の記録層３と第２の記録層５には、異なる符号データによる情報が記録されてゆく。
【００５１】
また、光ディスク１に映像・音声を録画・録音する際、制御部１１による制御のもと、録画・録音内容を示すタイトル情報等を含むＴＯＣ（Table of Contents）が、光ディスク１のリードイン領域に符号データの形態で記録される。タイトル情報は、テレビ番組を録画・録音する場合は、テレビ放送信号に含まれる電子番組情報から取得され、ビデオカメラやデジタルカメラ等から入力される映像・音声する場合は、入力される信号から取得されるか、又は自動的に付与される。
【００５２】
光ディスク１に録画・録音されている映像・音声の再生は、制御部１１による制御のもと、光ディスク１に形成されているピットを検出して光ディスク１に記録されている符号データを読取り、その符号データを復号処理部２３にて複合し、その復号した映像・音声信号を映像・音声信号出力部２６から出力することにより行われる。
【００５３】
光ディスク１への目視可能な情報の記録は、制御部１１による制御のもと、ピットＰとして、他のピットよりも幅の広い目視情報表示用ピットを、光ディスク１に記録されている（又は、記録される）ＴＯＣに含まれるタイトル情報を示す表示パターンで光ディスク１上に多数密集させて形成することにより行われる。目視情報表示用ピットは、光ディスク１の第１の記録層３の記録トラック３ａ及び第２の記録層５の記録トラック５ａに各々形成される。
【００５４】
目視情報表示用ピットを形成すべき光ディスク1上の位置座標は、制御部１１による制御のもと、光ディスク１に記録されている（又は、記録される）ＴＯＣに含まれるタイトル情報を読取り、そのタイトル情報を目視情報作成用データとして目視情報パターン生成部２７にて目視可能な情報を示す表示パターン（従ってタイトル情報を示す表示パターン）を生成し、その表示パターン及び光ディスク１のアドレスデータに基づいて算出される。目視情報表示用ピットの形成は、光ヘッド１５の対物レンズ５４を移動させて光ヘッド１５から出射される光の集光スポット径を大きくすると共に、半導体レーザ５１の発光出力を高めて光ヘッド１５から出射される光の強度を強くすることにより行われる。
【００５５】
制御部１１は、移動モータ１４によるによる光ヘッド１５の移動、スピンドルモータ１３による光ディスク１の回転、及びヘッド１５による光の照射を制御することにより、ピットＰ（符号データ用ピット又は目視情報表示用ピット）を光ディスク１に形成して符号データ又は目視可能な情報を記録し、また、光ディスク１のピットＰを検出して符号データを読取る。
【００５６】
図５は、上記光ディスク処理装置１０の目視可能な情報の記録動作のフローチャートを示す。なお、このフローチャートは、光ディスク１が書換え可能な２層型ＤＶＤ（Digital Versatile Disk）である場合についての記録動作を示している。制御部１１は、リモコン２８により目視可能情報の記録指示がなされると（＃１でＹＥＳ）、光ディスク１に記録されているＴＯＣに含まれるタイトル情報を読取り（＃２）、そのタイトル情報を基に、目視情報表示用ピットを形成すべき光ディスク１上の位置座標を算出する（＃３）。なお、光ディスク１に映像や音楽等の情報が記録されておらず、ＴＯＣにタイトル情報が記録されていない場合には、エラー表示等をして、目視可能な情報の記録動作を終了する。
【００５７】
そして、その算出した座標に対応する光ディスク１の第１の記録層３上の位置に目視情報表示用ピットを形成する（＃４）。なお、第１の記録層３上の目視情報表示用ピットを形成すべき位置に既に符号データ用ピットが形成されていれば、その符号データ用ピットを、その符号データ用ピットと同じ長さの目視情報表示用ピット（すなわち、符号データ用ピットを兼ねた目視情報表示用ピット）に形成し直す。
【００５８】
続いて、上記＃３にて算出した座標に対応する光ディスク１の第２の記録層５上の位置に目視情報表示用ピットを形成する（＃５）。なお、第２の記録層５上の目視情報表示用ピットを形成すべき位置に既に符号データ用ピットが形成されていれば、その符号データ用ピットを、その符号データ用ピットと同じ長さの目視情報表示用ピット（すなわち、符号データ用ピットを兼ねた目視情報表示用ピット）に形成し直す。これにより、目視可能な情報が光ディスク１に記録される。
【００５９】
なお、光ディスク１が１度だけ記録可能な２層型ＤＶＤである場合は、光ディスク１に映像や音楽等の情報を記録する際に、目視可能な情報を同時に記録するようにすればよい。すなわち、光ディスク１に映像や音楽等の情報を記録する際に取得されるタイトル情報を基に、前以って目視情報表示用ピットを形成すべき位置座標を算出しておき、そして、映像や音声等の情報を符号化した符号データによる符号データ用ピットを光ディスク１の第１の記録層３又は第２の記録層５に順次形成してゆき、目視情報表示用ピットを形成すべき位置において、符号データ用ピットを兼ねた目視情報表示用ピットを形成するようにすればよい。
【００６０】
このような構成の光ディスク処理装置１０によれば、目視情報表示用ピットが光ディスク１の第１の記録層３と第２の記録層５の対応する領域内に形成されるため、目視情報表示用ピットにより光ディスク１に描かれる図形や文字等の濃淡は、従来の１層の記録層だけに目視情報表示用ピットが形成された構成と比較して濃くなる。従って、このような構成の光ディスク処理装置１０によれば、目視可能な情報がより見易く表示される光ディスク１を得ることができる。
【００６１】
しかも、目視情報表示用ピットは符号データ用ピットと兼ねられ、目視可能な情報は符号データによる情報に重畳されて記録されるため、符号データによる情報の記録密度を低下させることなく、目視可能な情報を記録することができる。また、第１の記録層３と第２の記録層５には、異なる符号データによる情報が記録されるため、符号データによる情報の記録密度を低下させることなく、目視可能な情報を記録することができる。
【００６２】
なお、本発明は、上記実施形態の構成に限られず、種々の変形が可能である。例えば、光ディスク１は、目視情報表示用ピットと符号データ用ピットを兼ねていなくてもよい。この場合、例えば、光ディスク１の最外周側の所定エリアを目視可能な情報記録用のエリアに割当てて、そのエリアに目視情報表示用ピットを形成すればよい。符号データ用ピットにより記録される情報は、映像や音楽以外の情報であってもよい。
【００６３】
光ディスク処理装置１０は、光ディスク１に記録されているタイトル情報を読取って、そのタイトル情報を目視可能な情報として記録するものに限られず、例えば、リモコン２８を操作して文字や記号等を入力し、その入力された文字や記号等を目視可能な情報として記録するようにしてもよい。また、光ディスク処理装置１０は、映像や音楽等の情報が記録されていない光ディスク１に対して、目視可能な情報を記録するようにしてもよい。
【図面の簡単な説明】
【００６４】
【図１】（ａ）は本発明の一実施形態による光ディスクの概略構成を示す平面図、（ｂ）は（ａ）の部分拡大図、（ｃ）は（ａ）のＡ−Ａ線断面図。
【図２】同光ディスクのピットの形成例を示す部分拡大した平面図。
【図３】同光ディスクの別の構成を示す平面図。
【図４】本発明の一実施形態による光ディスク処理装置の概略構成を示す電気的ブロック構成図。
【図５】同光ディスク処理装置の目視可能な情報の記録動作を示すフローチャート。
【符号の説明】
【００６５】
１    光ディスク（光記録媒体）
１ａ    情報記録面
１ｂ    レーベル面
２    基板層
３    第１の記録層
３ａ    記録トラック
４    スペーサ層
５    第２の記録層
５ａ    記録トラック
６    保護層
１０    光ディスク処理装置
１１    制御部（符号データ記録手段、目視情報記録手段、座標算出手段）
１２    ディスク挿入検知部
１３    スピンドルモータ（光ディスク駆動手段）
１４    移動モータ（光ヘッド移動手段）
１５    光ヘッド
１６    レーザ駆動部
１７    ＲＦ信号処理部
２２    符号化処理部
２３    復号処理部
２７    目視情報パターン生成部
２８    リモコン
Ｐ    ピット
Ｐ−３ａ、Ｐ−３ｂ    符号データ用ピット
Ｐ−３ｃ、Ｐ−３ｄ    目視情報表示用ピット
Ｐ−５ａ、Ｐ−５ｂ    符号データ用ピット
Ｐ−５ｃ、Ｐ−５ｄ    目視情報表示用ピット
【図１】
2006085788.tif 000003
【図２】
2006085788.tif 000004
【図３】
2006085788.tif 000005
【図４】
2006085788.tif 000006
【図５】
2006085788.tif 000007